(57)【要約】【課題】音響部品およびその周辺筐体に対し、堆積する異物の除去機能の向上により、音響機能の維持を図るとともに、音響部品に対する異物除去作業の容易化を図る。【解決手段】筐体（４）と、フィルタ部品（１４、シートフィルタ３６）と、フィルタ支持部品（１２、取付ボード３２）と、除去手段（１８、ワイパ２８）とが含まれる。筐体は、内部に音響部品（８、スピーカ部品３２）を備える。フィルタ部品は、シート状に形成され、音響部品の音孔（１０）内への異物（１６）の混入を阻止する。フィルタ支持部品は、フィルタ部品が緊張状態で設置され、フィルタ部品を音響部品の音孔の前面側に配置させる。除去手段は、フィルタ部品を介して音響部品の音孔の前面側に配置され、フィルタ部品の一面に摺動させて、付着した異物を除去する。【選択図】    図１
2014199983.tif 000002
【特許請求の範囲】
【請求項１】
内部に音響部品を備える筐体と、
シート状に形成され、前記音響部品の音孔内への異物の混入を阻止するフィルタ部品と、
前記フィルタ部品が緊張状態で設置され、前記フィルタ部品を前記音響部品の前記音孔の前面側に配置させるフィルタ支持部品と、
前記フィルタ部品を介して前記音響部品の前記音孔の前面側に配置され、前記フィルタ部品の一面に摺動させて、付着した異物を除去する除去手段と、
を備えることを特徴とする、電子装置。
【請求項２】
前記フィルタ支持部品は、前記筐体内部に設置された発熱部品からの伝熱によって膨張変形し、
前記フィルタ部品は、前記フィルタ支持部品の膨張変形に伴って平面方向に延伸して緊張状態に維持されることを特徴とする、請求項１に記載の電子装置。
【請求項３】
前記筐体は、前記除去手段の摺動方向側に、前記フィルタ部品から除去した前記異物を外部に排出させる排出孔が形成されることを特徴とする、請求項１または請求項２に記載の電子装置。
【請求項４】
さらに、前記発熱部品に設置されるとともに、前記フィルタ支持部品の一部または全部に接触して、前記発熱部品から発した熱を前記フィルタ支持部品に伝達する伝熱部品を備えることを特徴とする、請求項２または請求項３に記載の電子装置。
【請求項５】
前記除去手段は、前記筐体に軸支され、前記フィルタ部品の一面側に回動して摺動することを特徴とする、請求項１ないし請求項４のいずれかに記載の電子装置。
【発明の詳細な説明】
【技術分野】
【０００１】
本発明は、音響部品に対する異物の混入防止構造を備える電子装置に関する。
【背景技術】
【０００２】
スピーカなどの音響部品は、たとえば内部に設置されたマグネットなどにより砂鉄や金属ダストなどの異物が付着する。音響部品は、この異物が直接付着すると音響機能が低下するほか、損傷の原因になるおそれがある。特に携帯電話機などの電子装置は、屋外に持ち出される場合があり、たとえば使用環境によって異物の量が多くなるおそれがある。そこで、音響部品を内蔵する電子装置では、音響部品に対して異物を付着させないようにフィルタ機能が搭載される。
【０００３】
このような音響部品に対するフィルタを備える装置に関し、スピーカが設置されるスピーカグリルの開口側の前面に、取り外し可能なフィルタを設置し、ゴミなどが付着した場合にフィルタを交換させるものが知られている（例えば、特許文献１）。
【先行技術文献】
【特許文献】
【０００４】
【特許文献１】特開２００２−３５９８９２号公報
【発明の概要】
【発明が解決しようとする課題】
【０００５】
ところで、音響部品に対するフィルタ機能を備えた電子装置では、フィルタに周囲の異物が付着していくことにより、一定の期間が経過すると、フィルタの一面に異物が堆積することになる。電子装置は、異物が一定量堆積すると、筐体に形成された放音孔側が塞がれることで、放音機能や集音機能を低下させるおそれがある。
【０００６】
また、異物が堆積したフィルタは、交換作業を行う必要があるが、たとえば使用時間や使用環境に応じてその交換タイミングが一定ではない。フィルタは、たとえば電子装置の使用場所が工事現場などの粉塵の多い場所や、砂の多い地域で使用される場合、または風の強い地域や季節の場合で、異物の付着状態が異なる。そのため、電子装置は、使用環境に応じてフィルタの状態管理が必要となり手間がかかるほか、音響機能の低下を確認してから交換作業を行うのでは、電子装置の利便性を低下させるおそれがある。
【０００７】
携帯電話機などの多機能化した電子装置では、筐体内部に対する防塵性や防水性を高めるために、複数の筐体部品同士が容易に分解できない構造であったり、または密閉性を高めて接続されており、内部に設置したフィルタの交換作業が困難となっている。さらに、電子装置では、フィルタの交換時に、筐体の一部または全部が分解されて音響部品を外部に露出させると、交換作業時に異物が混入して、音響部品に対する防御機能を低下させるおそれがあるという課題がある。
【０００８】
そこで、本開示の電子装置の目的は、音響部品およびその周辺筐体に対し、堆積する異物の除去機能の向上により、音響機能の維持を図ることにある。
【０００９】
また、本開示の電子装置の他の目的は、音響部品に対する異物除去作業の容易化を図ることにある。
【課題を解決するための手段】
【００１０】
上記目的を達成するため、本開示の構成の一側面は、筐体と、フィルタ部品と、フィルタ支持部品と、除去手段とが含まれる。筐体は、内部に音響部品を備える。フィルタ部品は、シート状に形成され、前記音響部品の音孔内への異物の混入を阻止する。フィルタ支持部品は、前記フィルタ部品が緊張状態で設置され、前記フィルタ部品を前記音響部品の前記音孔の前面側に配置させる。除去手段は、前記フィルタ部品を介して前記音響部品の前記音孔の前面側に配置され、前記フィルタ部品の一面に摺動させて、付着した異物を除去する。
【発明の効果】
【００１１】
本開示の構成によれば、次のいずれかの効果が得られる。
【００１２】
(1)  音響部品の前面側に配置されたシート状のフィルタ部品に対し、その一面を除去手段によって摺動させる構造により、堆積した異物の除去が可能となり、音響機能の低下を防止できる。
【００１３】
(2)  フィルタ部品の一面に対して摺動させる除去手段に対し、シート状のフィルタ部品を緊張状態で配置させることで、フィルタ部品に堆積した異物の除去機能を高めることができる。
【００１４】
(3)  除去手段をフィルタ部品の一面側に摺動させてフィルタ部品から異物を除去させる構造により、筐体から異物を排除するためのフィルタ部品の着脱が不要となり、除去作業の容易化および迅速化が図れる。
【００１５】
そして、本発明の他の目的、特徴および利点は、添付図面および各実施の形態を参照することにより、一層明確になるであろう。
【図面の簡単な説明】
【００１６】
【図１】第１の実施の形態に係る電子装置の構成例を示す図である。
【図２】第２の実施の形態に係る電子装置の外観構成例を示す図である。
【図３】電子装置の設置部品の一例を示す分解図である。
【図４】電子装置の組立て状態例を示す分解図である。
【図５】電子装置の組立て状態例を示す分解図である。
【図６】音響部品に対する異物除去構造例を示す断面図である。
【図７】ワイパの動作状態例を示す図である。
【図８】ワイパの動作状態例を示す断面図である。
【図９】ワイパによる異物除去状態例を示す図である。
【図１０】シート支持部品に対する伝熱状態例を示す図である。
【図１１】シート支持部品の熱膨張によるシート引張り状態例を示す図である。
【図１２】第３の実施の形態に係る電子装置の構成例を示す分解図である。
【図１３】防護ケースに対する取付ボードの設置状態例を示す図である。
【図１４】第４の実施の形態に係る電子装置の外観構成例を示す図である。
【図１５】電子装置の内部構成例を示す図である。
【図１６】ワイパによる異物除去構造の一例を示す図である。
【図１７】第５の実施の形態に係る電子装置の内部構成例を示す図である。
【図１８】図１７のＡ−Ａ線断面を示す図である。
【図１９】ヒートシンクを備える電子装置の他の構成例を示す図である。
【図２０】図１９のＢ−Ｂ線断面を示す図である。
【発明を実施するための形態】
【００１７】
〔第１の実施の形態〕
【００１８】
図１は、第１の実施の形態に係る電子装置の構成例を示している。図１に示す構成は一例であり、本発明が斯かる構成に限定されるものではない。
【００１９】
図１に示す電子装置２は、本開示の電子装置の一例であり、筐体４の内部に設置した音響部品８によって音声などの放音や集音機能を利用することができる。この音響部品８は、たとえば筐体４の一部に形成された放音孔６に設置されることで、音声の放音や集音を可能としている。この電子装置２は、たとえば携帯電話機や携帯型ＰＣ（Personal Computer）などの情報処理装置が含まれる。そして、この音響部品８は、電子機器２の通話機能やその他のアプリケーションの実行において利用される。
【００２０】
また、この電子装置２は、たとえば音響部品８の音孔１０側に異物が混入するのを阻止するために、フィルタ支持部品１２によって支持されたフィルタ部品１４が設置されている。さらに電子装置２には、フィルタ部品１４の一面側に付着した異物１６をフィルタ部品１４から除去する除去手段１８を備えている。
【００２１】
音響部品８は、放音または集音を行う機能部品の一例であり、たとえば音声や音楽、その他の音を外部に放音するスピーカユニットや、音声や音楽などを集音して通話などに利用するマイクロフォンが含まれる。この音響部品８には、たとえば筐体４の内部側にマグネット部品やボイスコイルなどの振動発生や振動受信などを行う振動部品や、筐体４の放音孔６側に向けて設置される振動板などが含まれる。この音響部品８には、たとえば振動部品および振動板により放音し、または外部からの音声を取り込んで集音するために、前面開口側に音孔１０が形成される。
【００２２】
フィルタ部品１４は、音響部品８の前面側を覆って、音孔１０側への異物１６の混入を阻止する手段の一例である。フィルタ部品１４は、たとえば防水透湿性の樹脂材料をシート状に形成した部品の一例であり、表面部分に異物１６を付着させて、音孔１０側への異物１６を堰き止める。このフィルタ部品１４は、たとえばゴアテックス（Gore-Tex）（登録商標）などを利用すればよい。フィルタ部品１４に付着させる異物１６は、たとえば砂鉄などの微細な金属片、金属粒子であり、音響部品８に設置されるマグネット部品の磁力によって引き寄せられる物質が含まれる。
【００２３】
フィルタ支持部品１２は、フィルタ部品１４を支持固定させ、音孔１０の前面側にフィルタ部品１４を配置させる手段の一例である。フィルタ支持部品１２は、たとえば音響部品８の前面側に設置され、平面部分の一部に、音孔１０を放音孔６側に向けて露出させる開口部が形成される。この開口部は、筐体４の放音孔６に隣接して形成されており、内部または開口部側がフィルタ部品１４で閉塞されている。音響部品８は、たとえば音孔１０以外の部分をフィルタ支持部品１２に設置固定させてもよい。
【００２４】
フィルタ部品１４は、フィルタ支持部品１２の平面方向に沿って平坦状態を維持させるようにシート部分を弛ませず、緊張状態となるよう一定の張力を持たせて、フィルタ支持部品１２の一部に設置されている。フィルタ部品１４は、たとえばフィルタ支持部品１２に対して、支持ピンなどの貫通部品を利用した固定、またはフィルタ支持部品１２の平面部分に接着手段を介在させて固定してもよい。このようにフィルタ部品１４を緊張状態でフィルタ支持部品１２に貼り付けることで、フィルタ部品１４は、たとえばフィルタ支持部品１２の平面部分に対し、一面側を面一状態またはそれに近い状態で維持できる。
【００２５】
除去手段１８は、フィルタ部品１４の一面を摺動して、付着した異物１６をフィルタ部品１４から除去する手段の一例である。除去手段１８は、たとえばフィルタ部品１４が設置されたフィルタ支持部品１２の平面部分に沿ってスライド動作可能に設置されており、フィルタ部品１４の一面に接触している。そして、フィルタ部品１４は、除去手段１８がスライド動作を行うことで、筐体４の放音孔６側の面に付着した異物１６が除去手段１８の接触部分によって剥ぎ取られて清浄化される。除去手段１８のスライド移動は、フィルタ支持部品１２の平面に沿って移動されればよく、たとえばフィルタ支持部品１２に沿った直線方向や、回動方向への移動、またはそれらの組み合わせが含まれる。
【００２６】
除去手段１８は、たとえば図示しない支持手段やスライドレール構造などを利用して、所定のスライド方向や移動量などが設定されればよい。また、この電子装置２は、たとえば筐体４の一部に開口部などの異物排出手段が設置されればよい。この異物排出手段は、たとえば除去手段１８のスライド動作先やその近傍に設置されればよい。
【００２７】
斯かる構成によれば、音響部品８の前面側に配置されたシート状のフィルタ部品１４に対し、その一面を除去手段１８によって摺動させる構造により、堆積した異物１６の除去が可能となり、音響機能の低下を防止できる。また、フィルタ部品１４の一面に対して摺動させる除去手段１８に対し、シート状のフィルタ部品１４を緊張状態で配置させることで、フィルタ部品１４に堆積した異物１６の除去機能を高めることができる。除去手段１８をフィルタ部品１４の一面側に摺動させてフィルタ部品１４から異物１６を除去させる構造により、筐体４に対するフィルタ部品１４の着脱が不要となり、除去作業の容易化および迅速化が図れる。
【００２８】
〔第２の実施の形態〕
【００２９】
図２は、第２の実施の形態に係る電子装置の外観構成例を示している。図２に示す構成は一例であり、本発明が斯かる構成に限定されるものではない。
【００３０】
図２に示す電子装置２０は、スピーカ部品が内蔵され、通話機能、音楽や動画の再生機能を備える装置の一例であり、スピーカ部品に対する異物混入阻止構造および異物除去構造を備えている。電子装置２０は、たとえば筐体構造として、前面ケース２２と背面ケース２４とが前後で接合されている。前面ケース２２には、スピーカ部品３２（図３）の設置位置の近傍、たとえばケース側面側の一角部分に、異物除去構造を配置させる収納孔２６が形成される。この収納孔２６は、たとえば前面ケース２２の一角を基準に、その隣接する２辺に対して、所定の長さおよび厚さで開口している。
【００３１】
そして収納孔２６の内部には、たとえば前面ケース２２の側面形状に合わせて形成されたワイパ２８が収納されている。このワイパ２８は、異物除去手段の一例であり、収納孔２６内に設置されている。このワイパ２８は、たとえば少なくとも収納孔２６と同等の長さとともに厚さの２辺が形成され、さらに、この２辺の間の角度が前面ケース２２の側面角度と同等に設定されている。これにより、ワイパ２８は、収納孔２６に対する電子装置２０の外装ケース部品の一部として機能する。
【００３２】
前面ケース２２、背面ケース２４およびワイパ２８は、同様の材料で形成されればよく、たとえば樹脂材料が用いられる。また、ワイパ２８は、たとえば周縁側に軟性の樹脂材料などを用いたシール部材を設置し、収納孔２６との境界部分の止水や異物混入を阻止させてもよい。
【００３３】
そのほか前面ケース２２の平面部分には、たとえば電子装置２０の表示機能部品として、ＬＣＤ（Liquid Crystal Display）表示部３０や図示しない操作入力手段、通話用スピーカまたはマイクロフォン用の集音孔などが含まれてもよい。
【００３４】
電子装置２０は、たとえば図３に示すように、スピーカ部品３２、取付ボード３４、シートフィルタ３６などが設置される。スピーカ部品３２は、たとえば音響部品の一例であり、電子装置２０の外部に放音を行う手段である。
【００３５】
取付ボード３４は、フィルタ支持部品の一例であって、たとえば一面にスピーカ部品３２が設置され、その反対面側にシートフィルタ３６が密着される。取付ボード３４には、スピーカ部品３２の音孔部分の設置位置に対して、開口部３８が形成される。またシートフィルタ３６の設置位置には、取付部４０が形成される。また取付ボード３４には、たとえばスピーカ部品３２が設置される部分以外の部分を他の機能部品に接触させる接触部４２が含まれる。
【００３６】
シートフィルタ３６は、フィルタ部品の一例であり、たとえば取付ボード３４の取付部４０の平面部分に対して密着状態で設置されることで、開口部３８とともにスピーカ部品３２の音孔を覆っている。シートフィルタ３６は、たとえば一定の硬度で形成されるとともに、取付部４０に対して平面全周方向に一定の張力を持たせて取付ボード３４の取付部４０に密着される。張力の付与では、たとえば取付ボード３４に形成されるシート支持手段の形成範囲を大きく採ることで、そのシート支持手段に係止されるシートフィルタ３６が常に支持手段から張力を受ける。これにより、シートフィルタ３６は、常に緊張状態が維持される。
【００３７】
ワイパ２８は、たとえば前面ケース２２の収納孔２６を閉塞させる２本のアーム部４８、５０が所定の角度で交差状に形成され、アルファベット文字の「Ｌ」字状に形成されている。またアーム部４８、５０の交差部分には、前面ケース２２と背面ケース２４との間に軸支させる軸部４６が形成されている。
【００３８】
そのほか、背面ケース２４内には、電子装置２０のコンピュータ機能部品を搭載する基板５２が設置される。この基板５２には、たとえばプロセッサ５４やその他のメモリモジュールなど、動作によって放熱温度が高くなる発熱部品が実装されている。また、この基板５２上には、基板５２上の機能部品を防護する防護ケース５６が含まれる。この防護ケース５６は、内部側の発熱部品からの放熱を受けて加熱されるとともに、放熱処理が行われる。そのほか背面ケース２４には、たとえば他の実装部品６２が設置される。
【００３９】
背面ケース２４の一角側には、スピーカ部品３２が配置される位置に合わせて開口した放音孔５８が形成されるとともに、この放音孔５８の内部から電子装置２０内への異物混入を阻止するメッシュ部品６０などが含まれている。
【００４０】
前面ケース２２には、背面ケース２４に形成された係止孔６４に接合するための係止部６６が形成されている。
【００４１】
＜電子装置２０の組立て状態について＞
【００４２】
図４に示すように電子装置２０の組立てでは、たとえば背面ケース２４の放音孔５８の近傍に形成された係止孔６４内にワイパ２８の軸部４６を貫通させるほか、基板５２の上面側を覆うように防護ケース５６が設置される。また、取付ボード３４は、開口部３８を介してスピーカ部品３２とシートフィルタ３６が密着状態で設置される。
【００４３】
そして、図５に示すように、取付ボード３４の貫通孔４４内にワイパ２８の軸部４６を貫通させると、スピーカ部品３２が背面ケース２４の放音孔５８側に配置される。また、取付ボード３４の接触部４２が防護ケース５６の上面側に載置されることで、取付ボード
３４の配置高さが設定される。
【００４４】
電子装置２０の内部では、たとえば図６に示すように、スピーカ部品３２に対し、取付ボード３４を介してシートフィルタ３６およびワイパ２８が積層状態で配置される。ワイパ２８は、異物除去処理が行われていないときは、アーム部４８、５０が前面ケース２２の収納孔２６内に配置されており、シートフィルタ３６と背面ケース２４との間が空洞状態となる。シートフィルタ３６は、たとえば取付ボード３４の取付部４０内に形成された凸部７０に貫通させて係止される。
【００４５】
取付ボード３４は、たとえば接触部４２が防護ケース５６の全面または一部に載置されるとともに、開口部３８側がワイパ２８のアーム部４８、５０上に載置される。ワイパ２８の軸部４６は、取付ボード３４の貫通孔４４を介して前面ケース２２の収納孔２６側に形成された支持孔７２内に回動可能に軸支される。
【００４６】
＜ワイパ２８の摺動動作について＞
【００４７】
ワイパ２８は、たとえば図７に示すように、前面ケース２２の収納孔２６の内部に対し、軸部４６を中心として回動方向に変移させることができる。ワイパ２８の変移動作は、たとえばアーム部４８、５０に対する回動方向への押下操作または引出操作によって行われればよい。ワイパ２８には、たとえばアーム部４８、５０の一部に変移動作を行うための取手部品を設置させてもよい。
【００４８】
そのほか、電子装置２０には、たとえばワイパ２８の軸部４６を軸支する支持孔７２内部などに小型の駆動手段を含む軸受部品などを用いて自動で回動させてもよい。
【００４９】
ワイパ２８を一方の方向に動作させると、電子装置２０は、たとえば図８に示すように、アーム部５０が収納孔２６の他端側の開口面側に移動するとともに、アーム部４８が前面ケース２２の外部側に突出した状態となる。図８は、図７のＶＩＩＩ−ＶＩＩＩ線断面を示している。アーム部５０は、収納孔２６の他の開口面側に変移するときに、背面ケース２４の放音孔５８上を通過する。ワイパ２８が一定量回動され、アーム部５０が通過すると、シートフィルタ３６と放音孔５８との間は、再び空洞状態となる。このとき、異物除去処理前にアーム部５０が配置されていた収納孔２６の一端側は、開口状態となっている。
【００５０】
ワイパ２８による異物除去動作では、たとえば図９のＡに示すように、電子装置２０の外部側からユーザによる押下などよって外力Ｆがアーム部５０側に付与されることで、ワイパ２８の回動動作が開始される。
【００５１】
ワイパ２８を回動させると、アーム部５０は、たとえば図９のＢに示すように、一面側がシートフィルタ３６の一面に摺動状態となる。すなわちアーム部５０の一面部分は、シートフィルタ３６の放音孔５８側に向けられた面上に接触し、その表面部分に付着した異物１６を削ぎ落としながら変移する。
【００５２】
さらにワイパ２８を回動させると、アーム部５０は、図９のＣに示すように収納孔２６の他の開口部側から前面ケース２２の外部に露出されることで、回収した異物１６を電子装置２０の外部に放出することができる。すなわち、前面ケース２２の収納孔２６は、ワイパ２８の摺動によってシートフィルタ３６から掻き出した異物１６を排出するための排出口として機能する。このとき、アーム５０は、摺動動作によって、収納孔２６の一端側に嵌合状態となる。
【００５３】
なお、ワイパ２８の回動方向は、図９に示す方向に限られず、反対方向に回動させてもよい。その場合、アーム部４８がシートフィルタ３６の表面を摺動して異物１６を除去させることができる。また、ワイパ２８の回動では、アーム部４８、５０に対して押下によって力を付与するものに限られず、アーム部４８、５０に対して引張り方向への力を付与して、回動させてもよい。
【００５４】
＜シートフィルタ３６の緊張状態の維持構造について＞
【００５５】
次に、取付ボード３４に対してシートフィルタ３６を緊張状態に維持させる構造について、図１０を参照する。図１０は、シート支持部品に対する伝熱状態例を示している。図１０に示す構成は一例である。
【００５６】
ワイパ２８の回動によってシートフィルタ３６に摺動させる異物除去では、ワイパ２８のアーム部４８、５０とシートフィルタ３６との接触面の状態が異物除去機能に大きな影響を与える。すなわち、アーム部４８、５０の平面部分は、異物１６が付着したシートフィルタ３６の一面全体に対して密着されることで、シートフィルタ３６の下部側を通過するときに異物１６を削ぎ落とすことが可能となる。そこで、この電子装置２０では、シートフィルタ３６を取付ボード３４に対して撓ませず、緊張状態で取り付けている。
【００５７】
さらに、この電子装置２０では、シートフィルタ３６の緊張状態を維持させるために、取付ボード３４の変形によりシートフィルタ３６に引張り力を付与する機能が含まれている。図１０に示す電子装置２０は、たとえばシートフィルタ３６が取付けられる取付ボード３４の一部または全部を熱膨張によって変形させ、シートフィルタ３６を平面方向に延伸させている。
【００５８】
取付ボード３４は、たとえばポリエチレンなどの一定以上の熱膨張率をもった材質、または亜鉛などが含まれており、加熱により膨張変形する。取付ボード３４の膨張では、たとえば、厚さ方向の変形よりも支持するスピーカ部品３２に対して平面方向に大きく変形させるものがよい。また取付ボード３４の熱膨張率は、シートフィルタ３６に含まれるゴアテックス（登録商標）などの熱膨張率よりも大きい値の材料が利用される。すなわち、シートフィルタ３６に対して伝熱した場合であっても、取付ボード３４の熱膨張率が高ければ、シートフィルタ３６よりも大きく変形するので、シートフィルタ３６の設置部分において、引張り力を加えることができる。
【００５９】
そして取付ボード３４は、電子装置２０の機能部品を防護する防護ケース５６の上面部分に接触し、または設置された接触部４２を通じて、電子部品からの熱を受ける。この加熱により、取付ボード３４の取付部４０の周縁部分が熱膨張して平面方向に変形する。この取付ボード３４の変形を受け、取付部４０に設置されたシートフィルタ３６は、たとえば貫通支持されている凸部７０の一部または全部が開口部３８の円周方向への変位に追従し、平面方向に向けて延伸状態となる。
【００６０】
接触部４２を加熱するための熱源は、たとえば防護ケース５６によって覆われた基板５２に実装されたプロセッサ５４などの電子部品である。これらの電子部品は、スピーカ部品３２の利用を含む電子装置２０の動作によって熱ｈを発する発熱部品の一例である。また、防護ケース５６は、たとえば発熱部品に接触させ、またはその近傍に配置されることで発熱部品から発した熱をフィルタ支持部品である取付ボード３４側に伝熱させる伝熱手段として機能する。
【００６１】
前面ケース２２の内部には、たとえば取付ボード３４の配置位置に応じて、側面側の一部に、取付ボード３４の熱膨張による変位可能な空間部８０が設定されてもよい。
【００６２】
取付ボード３４の熱膨張が生じると、たとえば図１１に示すように。熱膨張の方向に変位する凸部７０に追従してシートフィルタ３６が平面方向に引張られ、各終端側において、一定の変位量Ｌ１、Ｌ２の延伸状態となる。変位量Ｌ１、Ｌ２は、たとえば取付ボード３４に伝達される熱量、温度などに応じて決定され、同等の値となる場合や、変位量が異なる場合もある。このように電子装置２０では、シートフィルタ３６を延伸状態にさせることで、電子装置２０の使用中にシートフィルタ３６の緊張状態を維持させることで、平面部分の平滑状態が維持される。そして、このシートフィルタ３６の平面部分を平滑にさせることで、ワイパ２８のアーム部４８、５０がシートフィルタ３６に引っ掛かるなど、摺動動作が最適な状態で行え、異物１６が効率よく除去される。
【００６３】
この熱膨張を利用したシートフィルタ３６の引張り状態例について、以下に示す。取付ボード３４は、ポリエチレンを含む部材で形成されている。その熱膨張率αは、たとえば１８０〔ｐｐｍ〕／Ｋ（ケルビン）である。電子装置２０の動作時の取付ボード３４の上昇温度Δｔが５０〔℃〕とし、シートフィルタ３６を取付ける各凸部７０の初期温度における間隔をＬ０＝２０〔ｍｍ〕とする。
【００６４】
そして温度上昇後の凸部７０の間隔Ｌは、たとえば以下の式で算出できる。
Ｌ＝Ｌ０（１＋αΔｔ）                                  ・・・（１）
この式（１）を利用して、凸部７０の配置間隔を算出すると、
Ｌ＝２０．１８〔ｍｍ〕
となり、初期間隔Ｌ０＝２０〔ｍｍ〕を引くと、ΔＬ＝０．１８〔ｍｍ〕が膨張によってシートフィルタ３６が延伸したことになる。このような微小な延伸であれば、シートフィルタ３６が破壊されることなく、緊張状態が維持される。
【００６５】
なお、取付ボード３４は、熱膨張によって全面を変形させるものに限られず、たとえば、接触部４２の近傍側のみを熱変形させてもよい。この場合、取付ボード３４は、たとえば受熱側のみが平面方向に変形して延伸し、受熱していない部分は、変形しない状態で維持される。このときシートフィルタ３６は、取付ボード３４に追従し、取付ボード３４の変位部分のみが延伸されればよい。
【００６６】
斯かる構成によれば、スピーカ部品３２の前面側に配置されたシートフィルタ３６の一面をワイパ２８によって摺動させることで、堆積した異物１６の除去が可能となり、電子装置２の音響機能を維持することができる。シートフィルタ３６を緊張状態で配置させるとともに、熱膨張を利用してシートフィルタ３６を緊張状態に維持させることで、ワイパ２８の摺動面を平滑化でき、付着した異物１６の除去が可能となる。ワイパ２８を前面ケース２２の端部側に設置させ、外装側に沿って配置させることで、回動動作時に直接回収した異物１６を筐体外部に排出させることができ、除去作業の簡易化および迅速化が図れる。
【００６７】
〔第３の実施の形態〕
【００６８】
図１２は、第３の実施の形態に係る電子装置の構成例を示している。図１２に示す構成は一例であり、本発明が斯かる構成に限定されるものではない。
【００６９】
図１２に示す電子装置２０−１は、ワイパ２８によるシートフィルタの異物除去機能や取付ボード３４の熱膨張による変形機能などが含まれる。この取付ボード３４は、たとえば防護ケース５６と接触させて、発熱部品からの熱を取り込む接触部４２を端面側の一部に設定している。そして、取付ボード３４に対する伝熱手段として機能する防護ケース５６は、たとえば取付ボード３４の接触部４２を載置させる載置部９０が形成されている。この載置部９０は、たとえば防護ケース５６の天井部分よりも低く形成されている。
【００７０】
防護ケース５６の載置部９０は、たとえば図１３に示すように、取付ボード３４の厚さと略同等の厚さの階段状に形成されており、載置された取付ボード３４の上面部分と防護ケース５６の天井部分とを略面一に配置させている。また、載置部９０は、たとえば取付ボード３４の端面と、防護ケース５６の段差面との間に一定の間隔Ｌ３をもたせる幅で形成されている。これにより、取付ボード３４の熱膨張による変形に対し、変形可能な空間を設定している。
【００７１】
このような伝熱部品である防護カバー５６に対する取付ボード３４の接触部４２の接触位置は、たとえば取付ボード３４膨張方向および膨張量に応じて設定してもよい。
【００７２】
なお、載置部９０の大きさや高さは、たとえば接触部４２との接触幅および空間部の間隔Ｌ３などに基づいて設定されるほか、防護ケース５６の内部に配置される実装部品の高さ、または防護ケース５６に設定される発熱部品の冷却効率などに基づいて設定してもよい。
【００７３】
斯かる構成によれば、載置部９０に載置された接触部４２から取付ボード３４に対して伝熱する構造とともに、載置部９０上に取付ボード３４の膨張変形可能な空間が設定されことでシートフィルタ３６の緊張状態を維持させることができる。また、防護ケース５６に対して載置部９０を低く形成することで、取付ボード３４の載置高さを低く設定できるので、スピーカ部品３２の載置高さも低くなり、電子装置の薄型化を図ることができる。
【００７４】
〔第４の実施の形態〕
【００７５】
図１４は、第４の実施の形態に係る電子装置の構成例を示している。図１４に示す構成は一例である。
【００７６】
図１４に示す電子装置２０−２は、ケース内の中央側にスピーカ部品３２などの音響部品が設置される場合の異物除去手段の設置例を示している。この電子装置２０−２は、たとえば内蔵される機能部品に対し、前面側を覆う前面ケース９２やこの前面ケース９２に対向して接合される背面ケース２４が含まれる。背面ケース２４は、たとえば中央側に、図示しないスピーカ部品３２からの音声を外部に放音させる放音孔５８が形成されており、その放音孔５８の近傍にワイパ２８が回動可能に設置されている。
【００７７】
前面ケース９２には、たとえば側面部分の一部にワイパ２８によって除去された異物１６を電子装置２０−２の外部に排出させる排出孔９４が形成されている。この排出孔９４は、たとえばワイパ２８の摺動方向側として、アーム部４８、５０の回動先、または回動軌道の接線方向に形成されればよい。
【００７８】
また、背面ケース２４の内部には、たとえば図１５に示すように、ワイパ２８による除去方向のガイド手段として、立壁部９６が設置されている。立壁部９６は、たとえばワイパ２８の設置高さと同等の高さに形成されており、一部にワイパ２８上に設置された取付ボード３４を載置させてもよい。立壁部９６は、たとえば背面ケース２４と同等の部材で形成され一体に成形されてもよく、またはワイパ２８のアーム４８、５０との摺動効率がよい部材で形成してもよい。
【００７９】
そのほか、電子装置２０−２には、シートフィルタ３６とスピーカ部品３２とを設置する取付ボード３４を備えており、この取付ボード３４の一部に形成される接触部４２が発熱部品を防護する防護ケース５６に載置されている。
【００８０】
立壁部９６は、たとえばアーム部４８、５０の回動軌跡の一部に沿っており、少なくとも放音孔５８の一部を包囲する位置から前面ケース９２の排出孔９４側に向けて形成されており、異物１６を排出孔９４側まで導く。
【００８１】
また、図１６に示すように、アーム部４８、５０は、たとえば異物除去機能以外の機能を利用する場合、放音孔５８やシートフィルタ３６などを立壁部９６との間で包囲する位置に配置される。これにより、電子装置２０−２は、放音孔５８に設置されたメッシュ部品６０と組み合わせて、外部からの異物１６の混入を阻止できるとともに、シートフィルタ３６に付着した異物１６がケース内部に拡散されるのを阻止することができる。
【００８２】
斯かる構成によれば、立壁部９６によって排出孔９４側まで回収した異物１６を導くことができ、スピーカ部品３２などの設置位置の自由度が高められる。また、アーム部４８、５０の回動軌跡の一部に沿って立壁部９６を設置することで、シートフィルタ３６から掻き出した異物１６を、アーム部４８、５０の回動による遠心力などによるケース内部への拡散するのを阻止し、排出孔９４側に対する排出機能が高められる。
【００８３】
〔第５の実施の形態〕
【００８４】
図１７は、第５の実施の形態に係る電子装置の構成例を示している。図１７に示す構成は一例である。
【００８５】
図１７に示す電子装置２０―３は、たとえばシートフィルタ３６が緊張状態で取付けられる取付ボード３４に対して、一部を発熱部品に接触させたヒートシンク１００が設置されている。このヒートシンク１００は、発熱部品から発生した熱を外部に拡散させる手段の一例であり、発熱部品から取り込んだ熱を取付ボード３４側に伝熱する。
【００８６】
このヒートシンク１００は、たとえば熱伝導率が高い金属部材が含まれており、一端側が防護ケース５６の一部に接触され、他端側が取付ボード３４の所定位置に設置されている。電子装置２０−３では、取付ボード３４を加熱によって熱膨張させることで、スピーカ部品３２の設置方向に対して平面方向に変形させている。この取付ボード３４は、たとえばスピーカ部品３２の設置位置や発熱する基板５２などの設置位置に応じて伝熱状態が異なる。取付ボード３４は、たとえば接触部４２側から加熱されるので、加熱による温度分布が均一となっていない。そこで、ヒートシンク１００は、たとえば単数または複数個を取付ボード３４の所定位置に、所定の長さで配置させることで、全体を均一に加熱させてもよく、または膨張の度合を任意に調整してもよい。
【００８７】
ヒートシンク１００は、たとえば図１８に示すように、取付ボード３４の接触部４２の一部とともに防護ケース５６の一部に設置されている。そして、ヒートシンク１００は、取付ボード３４の上面側の一部であって、スピーカ部品３２の周縁側に設置される。これにより、ヒートシンク１００は、防護カバー５６によって加熱され、たとえば取付ボード３４の開口部３８を介した対向側に伝熱させることができる。
【００８８】
また、図１９および図２０に示す電子装置２０−４は、たとえば取付ボード３４の接触部４２を防護カバー５６の載置部９０に載置させてもよい。このとき、ヒートシンク１００は、たとえば一端側を防護カバー５６の上面部に接触させ、他端側を取付ボード３４の任意の位置に配置させればよい。
【００８９】
なお、防護ケース５６と取付ボード３４とをヒートシンク１００で接続する場合、取付ボード３４は直接防護ケース５６に接触させる接触部４２を備えなくてもよい。また、ヒートシンク１００を用いる電子装置は、音響部品がケースの一角側に設置されるものに限られず、既述のように、ケースの中央側に設置されるものであってもよい。
【００９０】
斯かる構成によれば、発熱部品と取付ボード３４とをヒートシンク１００で接続させることで、取付ボード３４の平面部に対する温度の均一化や、加熱位置または温度分布などの調整が可能になり、膨張状態、膨張方向の設定を行うことができる。また、ヒートシンク１００によって膨張状態を設定可能にすることで、電子装置２０−４の内部部品の配置構造に関わらず、ワイパ２８を利用した異物除去機能、およびシートフィルタ３６の設置位置の自由度を高めることができる。
【００９１】
以上説明した各実施形態について、その特徴事項を以下に列挙する。
【００９２】
(1)  本開示の構成は、電子装置の音響部品における異物除去構造を備えており、音響部品に詰まった砂鉄、金属ダストを除去するものである。この除去手段には、音響部品の防水、防塵に用いている防水透湿性シート（シートフィルタ３６）と、このシートフィルタ３６よりも熱膨張率の大きい材料を用いた取付ボード３４が含まれる。
【００９３】
(2)  さらに、本開示の構成では、取付ボード３４を防護ガバ−５６に接触させることで、電子装置の利用時に実装部品の熱が取付ボード３４に伝達される。そして、熱によって取付ボード３４を熱膨張させ、これにより貼り付けられたシートフィルタ３６を弛みなく張らせることができる。
【００９４】
(3)  ワイパ２８の摺動によって電子装置２の音響部品に詰まった砂鉄、金属ダストなどの異物が除去される。このワイパ２８は、たとえば電子装置のケース部品の一部で構成してもよい。この場合、スピーカなどの音響部品は、電子装置本体の四隅のいずれかに配置し、ワイパ２８は、一番近くの角部に「Ｌ字」型の回転可能な構造を利用することができる。
【００９５】
〔その他の実施の形態〕
【００９６】
(1)  上記実施の形態では、音響機能を備える電子装置として、たとえば携帯電話機や携帯型のＰＣなどの情報処理装置の例を示したが、これに限られない。電子装置は、たとえば音声発生機能または音声録音機能を備える携帯ゲーム機、音楽再生プレーヤ、動画再生プレーヤなどの機器であってもよい。
【００９７】
(2)  上記実施の形態では、音響部品としてスピーカ部品３２を用いた場合を示したが、マクロフォンやその他の放音、または集音機能部品であってもよい。
【００９８】
(3)  上記実施の形態では、ワイパ２８について、収納孔２６を通じて自由に回動可能に設置させる構成例を示しているが、これに限られない。ワイパ２８は、たとえば回動量を制限するとともに、異物除去処理を行わないときに設定された位置に配置させる機能部品を備えてもよい。この機能部品は、たとえばワイパ２８の内部や軸部４６、または支持孔７２内の軸受部分に付勢手段を設けてもよい。この付勢手段は、たとえば異物除去処理のために、回動によって初期位置から変位したアーム部４８、５０を設定位置まで引き戻し、または回動させる。これにより、前面ケース２２は、アーム部４８、５０を収納孔２６の開口面側に戻すことができ、異物除去以外の場合には、収納孔２６を閉塞状態に維持させて、止水機能や防塵機能を維持させることができる。また、このワイパ２８および背面ケース２４には、たとえば収納孔２６の開口位置において、フリーに回動させないようにストッパ構造が設置されてもよい。
【００９９】
(4)  上記実施の形態では、異物除去手段であるワイパ２８は、シートフィルタ３６に対して摺動させるために、電子装置２０のケース内で回動させる構造を示したがこれに限られない。ワイパ２８は、たとえばケースの平面方向に沿って平行移動させるものであってもよい。このワイパ２８の平行移動は、たとえばケースの縦横方向に合わせて直進させてもよく、または直進と回動を組み合わせてもよい。このワイパ２８のスライド方向は、たとえば電子装置２０内部の部品の配置状態や、排出孔９４の開口位置に合わせて設定してもよい。
【０１００】
(5)  上記実施の形態では、ワイパ２８の摺動操作について、アーム部４８、５０の一部に対して回動方向に押圧する場合を示したが、これに限られない。ワイパ２８は、たとえば取手などの操作手段が設置されてもよい。この操作手段は、たとえば除去手段の一部に形成され、背面ケース２４の一部から突出させてもよい。そして、背面ケース２４には、たとえばワイパ２８を摺動方向に向けてスライドさせるためのガイド溝が形成されてもよい。特に、ワイパ２８が電子装置２０の中央側に配置される場合には、これらの操作手段を利用すればよい。
【０１０１】
(6)  ワイパ２８の摺動によって集められた異物１６を電子装置２０外部に排出する排出孔９４は、ケースの側面側に限られず、背面ケース２４の平面部分の一部に形成してもよい。この排出孔９４は、たとえばワイパ２８の摺動先の近傍に設ければよく、たとえば電子装置２０の使用時の角度などに応じて、自然排出可能なようにスロープ形状を形成してもよい。
【０１０２】
次に、以上述べた実施の形態に関し、更に以下の付記を開示する。以下の付記に本発明が限定されるものではない。
【０１０３】
（付記１）内部に音響部品を備える筐体と、
シート状に形成され、前記音響部品の音孔内への異物の混入を阻止するフィルタ部品と、
前記フィルタ部品が緊張状態で設置され、前記フィルタ部品を前記音響部品の前記音孔の前面側に配置させるフィルタ支持部品と、
前記フィルタ部品を介して前記音響部品の前記音孔の前面側に配置され、前記フィルタ部品の一面に摺動させて、付着した異物を除去する除去手段と、
を備えることを特徴とする、電子装置。
【０１０４】
（付記２）前記フィルタ支持部品は、前記筐体内部に設置された発熱部品からの伝熱によって膨張変形し、
前記フィルタ部品は、前記フィルタ支持部品の膨張変形に伴って平面方向に延伸して緊張状態に維持されることを特徴とする、付記１に記載の電子装置。
【０１０５】
（付記３）前記筐体は、前記除去手段の摺動方向側に、前記フィルタ部品から除去した前記異物を外部に排出させる排出孔が形成されることを特徴とする、付記１または付記２に記載の電子装置。
【０１０６】
（付記４）さらに、前記発熱部品に設置されるとともに、前記フィルタ支持部品の一部または全部に接触して、前記発熱部品から発した熱を前記フィルタ支持部品に伝達する伝熱部品を備えることを特徴とする、付記２または付記３に記載の電子装置。
【０１０７】
（付記５）前記除去手段は、前記筐体に軸支され、前記フィルタ部品の一面側に回動して摺動することを特徴とする、付記１ないし付記４のいずれかに記載の電子装置。
【０１０８】
（付記６）前記フィルタ支持部品は、前記音孔からの音を通過させる開口部が形成され、前記開口部を介して音響部品と前記フィルタ部品との間を密閉状態に維持させることを特徴とする、付記１ないし付記５のいずれかに記載の電子装置。
【０１０９】
（付記７）前記フィルタ支持部品は、一部に前記除去手段の回動軸を貫通させることを特徴とする、付記５に記載の電子装置。
【０１１０】
（付記８）前記伝熱部品は、前記フィルタ支持部品の膨張方向および膨張量に応じて、接触位置または接触量が設定されることを特徴とする、付記４に記載の電子装置。
【０１１１】
（付記９）前記排出孔は、前記筐体の周縁側に形成され、前記除去手段の摺動により、前記排出孔に対して嵌合状態となることを特徴とする、付記３ないし付記８のいずれかに記載の電子装置。
【０１１２】
（付記１０）前記除去手段は、少なくとも２辺と角部を含む形状に形成され、
前記排出孔は、前記筐体の周縁の一角部分を含んで形成されて、該一角部分に前記除去手段の前記角部が配置されるとともに、前記除去手段の前記２辺が前記排出孔に配置され、前記除去手段が前記角部を中心に回動して前記筐体外部に突出される、
ことを特徴とする、付記３ないし付記９のいずれかに記載の電子装置。
【０１１３】
以上説明したように、本発明の最も好ましい実施形態等について説明したが、本発明は、上記記載に限定されるものではなく、特許請求の範囲に記載され、または明細書に開示された発明の要旨に基づき、当業者において様々な変形や変更が可能であることは勿論であり、斯かる変形や変更が、本発明の範囲に含まれることは言うまでもない。
【符号の説明】
【０１１４】
２、２０、２０−１、２０−２、２０−３、２０−４  電子装置
４  筐体
６  放音孔
８  音響部品
１０  音孔
１２  フィルタ支持部品
１４  フィルタ部品
１６  異物
１８  除去手段
２２、９２  前面ケース
２４  背面ケース
２６  収納孔
２８  ワイパ
３２  スピーカ部品
３４  取付ボード
３６  シートフィルタ
３８  開口部
４０  取付部
４２  接触部
４４  貫通孔
４６  軸部
４８、５０  アーム部
５２  基板
５４  プロセッサ
５６  防護ケース
７０  凸部
７２  支持孔
９０  載置部
９４  排出孔
９６  立壁部
１００  ヒートシンク
【図１】
2014199983.tif 000003
【図２】
2014199983.tif 000004
【図３】
2014199983.tif 000005
【図４】
2014199983.tif 000006
【図５】
2014199983.tif 000007
【図６】
2014199983.tif 000008
【図７】
2014199983.tif 000009
【図８】
2014199983.tif 000010
【図９】
2014199983.tif 000011
【図１０】
2014199983.tif 000012
【図１１】
2014199983.tif 000013
【図１２】
2014199983.tif 000014
【図１３】
2014199983.tif 000015
【図１４】
2014199983.tif 000016
【図１５】
2014199983.tif 000017
【図１６】
2014199983.tif 000018
【図１７】
2014199983.tif 000019
【図１８】
2014199983.tif 000020
【図１９】
2014199983.tif 000021
【図２０】
2014199983.tif 000022